(57)【要約】【課題】有機エレクトロルミネッセンスによる発光ユニットの点灯時において、画面を斜めから見た場合において従来よりも質を高めた光、特に輝度向上及び／又は色変化の抑制を可能とする。【解決手段】有機エレクトロルミネッセンスによる発光層（１４）を具備する積層体（１０）から出射された光を透過する光学シート（２０）であって、第一光制御層（２１）及び第二光制御層（２３）を備え、第一光制御層では高屈折率部（２１ｂ）と低屈折率部（２１ａ）とが、層面に沿った方向に交互に配列され、該配列される方向とは異なる方向には所定の断面形状で延びており、第二光制御層では高屈折率部（２３ａ）と低屈折率部（２３ｂ）とが、層面に沿った方向で、第一光制御層における高屈折率部と低屈折率部が配列される方向とは異なる方向に配列され、該配列される方向とは異なる方向に所定の断面形状で延びている。【選択図】図１
2015176132.tif 000002
【特許請求の範囲】
【請求項１】
有機エレクトロルミネッセンスによる発光層を具備する積層体から出射された光を透過する光学シートであって、
第一光制御層及び第二光制御層を備え、
前記第一光制御層では高屈折率部と低屈折率部とが、層面に沿った方向に交互に配列され、該配列される方向とは異なる方向には所定の断面形状で延びており、
前記第二光制御層では高屈折率部と低屈折率部とが、層面に沿った方向で、前記第一光制御層における前記高屈折率部と前記低屈折率部が配列される方向とは異なる方向に配列され、該配列される方向とは異なる方向に所定の断面形状で延びている、光学シート。
【請求項２】
前記第一光制御層の面のうち、前記高屈折率部が占める割合が多い側の面と、前記第二光制御層の面のうち、前記高屈折率部が占める割合が多い側の面と、が向かい合わない向きで配置されている、請求項１に記載の光学シート。
【請求項３】
前記第一光制御層及び前記第二光制御層の前記所定の断面形状の少なくとも一方が台形であり、層面の表裏側に短い上底、長い下底が配置されており、脚部は層の厚さ方向に延びる、請求項１又は２に記載の光学シート。
【請求項４】
前記台形のうち、前記高屈折率部では前記長い下底が、前記有機ＥＬによる発光層側となるべき側に配置されている、請求項３に記載の光学シート。
【請求項５】
基材層を備え、該基材層の一方の面に前記第一光制御層が積層され、前記第一光制御層に前記第二光制御層が積層されている、請求項１乃至４のいずれかに記載の光学シート。
【請求項６】
基材層を備え、該基材層の一方の面に前記第一光制御層が積層され、前記基材層の他方の面に前記第二光制御層が積層されている、請求項１乃至４のいずれかに記載の光学シート。
【請求項７】
前記第一光制御層の前記高屈折率部及び前記低屈折率部が延びる方向と、前記第二光制御層の前記高屈折率部及び前記低屈折率部が延びる方向と、が平面視で９０度ずれている、請求項１乃至６のいずれかに記載の光学シート。
【請求項８】
前記第一光制御層の前記高屈折率部及び前記低屈折率部が延びる方向と、前記第二光制御層の前記高屈折率部及び前記低屈折率部が延びる方向と、が平面視で９０度以外の傾斜でずれている、請求項１乃至６のいずれかに記載の光学シート。
【請求項９】
有機エレクトロルミネッセンスによる発光層を備える有機ＥＬ積層体と、
前記有機ＥＬ積層体の出光面側に配置される請求項１乃至８のいずれかに配置される光学シートと、を備える、有機エレクトロルミネッセンス発光ユニット。
【請求項１０】
有機エレクトロルミネッセンスによる発光層を備える有機ＥＬ積層体と、
前記有機ＥＬ積層体の出光面側に配置される請求項８に配置される光学シートと、を備え、
前記平面視で前記第一光制御層の前記高屈折率部及び前記低屈折率部と、前記第二光制御層の前記高屈折率部及び前記低屈折率部と、によりひし形が形成され、水平方向に対向する内角が鈍角、鉛直方向に対向する内角が鋭角である、有機エレクトロルミネッセンス発光ユニット。
【請求項１１】
筐体と、前記筐体の内側に配置される請求項９又は１０に記載の有機エレクトロルミネッセンス発光ユニットと、を備える表示装置。
【発明の詳細な説明】
【技術分野】
【０００１】
本発明は、有機エレクトロルミネッセンスによる発光層よりも出光側に配置される光学シート、該光学シートを備える有機エレクトロルミネッセンス発光ユニット、及び表示装置に関する。
【背景技術】
【０００２】
有機エレクトロルミネッセンス（以下、「有機ＥＬ」と記載することがある。）による発光層に電極を設けて発光させることにより、映像光源、白色光源として利用する技術がある。特許文献１〜４には、このように有機ＥＬを用いた装置に関する技術が開示されている。
【０００３】
ところが、このような有機ＥＬを用いた装置では、画面を斜めから見たときに暗くなったり、本来の色よりも短い波長側に推移した色で見えたりする画質の低下があった（以下、色については便宜のため「色シフト」と記載することがある。）。すなわち、斜めから見たときにおいて明るさについては正面から見た場合に比べて極端に暗くなり、色については色シフトにより波長が短い色である青味を帯びていることがあり、改善が必要であった。
【０００４】
これは、有機ＥＬ積層体が複数の層により形成され、その発光層が可視光オーダーの厚さの薄膜からなるとともに、発光層からは全方向に亘って発光されるため、斜めに進む光も存在することによると考えられる。
すなわち、明るさについては斜めに進む光が複数の層の界面で全反射をし、当該斜めの方向に光を出射することができないことが原因と考えられる。
一方、色についてはこのような斜めに進む光の光路と、発光層の厚さとの関係で干渉条件を満たしてしまい、干渉により強められる波長が短波長（青側）に推移してしまうことが原因と考えられる。
【０００５】
このような明るさや色シフトによる不具合は画面法線に対して傾いた全ての方向（例えば画面を鉛直としたときにおける正面に対する上下左右方向）で発生する。これに対して例えば特許文献１〜４では、隣接する部位と屈折率が異なるように錘状やレンズ状の要素を多数配列し、当該隣接する部位との界面にて光を屈折させる構造が開示されている。この構造によれば屈折により光が進む向きが変更され、画面を斜めから見たときにでも輝度が向上し、色シフトを緩和できる。
【先行技術文献】
【特許文献】
【０００６】
【特許文献１】特開２０１１−１８５８３号公報
【特許文献２】特開２０１１−１０３２３７号公報
【特許文献３】特開２０１３−５８４４７号公報
【特許文献４】特開２０１３−２２８５２８号公報
【発明の概要】
【発明が解決しようとする課題】
【０００７】
しかしながら、上記特許文献に記載された従来の構造では屈折面の総面積を大きく取ることに限界があり、斜めから見たときの輝度及び／又は色シフト抑制が十分であるとは言えなかった。
また、このような構造を大量生産するに際して、金型製作や成型条件の管理が難しく生産性の観点からも改善が必要であった。
【０００８】
そこで本発明は上記問題点に鑑み、有機エレクトロルミネッセンスによる発光ユニットの点灯時において、画面を斜めから見た場合において従来よりも質を高めた光、特に輝度向上及び／又は色変化の抑制を可能とする光学シートを提供することを課題とする。また、当該光学シートを用いた有機エレクトロルミネッセンス発光ユニット、及び表示装置を提供する。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、有機エレクトロルミネッセンスによる発光層（１４）を具備する積層体（１０）から出射された光を透過する光学シート（２０）であって、第一光制御層（２１）及び第二光制御層（２３）を備え、第一光制御層では高屈折率部（２１ｂ）と低屈折率部（２１ａ）とが、層面に沿った方向に交互に配列され、該配列される方向とは異なる方向には所定の断面形状で延びており、第二光制御層では高屈折率部（２３ａ）と低屈折率部（２３ｂ）とが、層面に沿った方向で、第一光制御層における高屈折率部と低屈折率部が配列される方向とは異なる方向に配列され、該配列される方向とは異なる方向に所定の断面形状で延びている、光学シートである。
【００１１】
請求項２に記載の発明は、請求項１に記載の光学シートにおいて、第一光制御層（２１）の面のうち、高屈折率部（２１ｂ）が占める割合が多い側の面と、第二光制御層（２３）の面のうち、高屈折率部（２３ａ）が占める割合が多い側の面と、が向かい合わない向きで配置されている。
【００１２】
請求項３に記載の発明は、請求項１又は２に記載の光学シート（２０）において、第一光制御層（２１）及び第二光制御層（２３）の所定の断面形状の少なくとも一方が台形であり、層面の表裏側に短い上底、長い下底が配置されており、脚部は層の厚さ方向に延びる。
【００１３】
請求項４に記載の発明は、請求項３に記載の光学シート（２０）において、台形のうち、高屈折率部（２１ｂ、２３ａ）では長い下底が、有機ＥＬによる発光層（１４）側となるべき側に配置されている。
【００１４】
請求項５に記載の発明は、請求項１乃至４のいずれかに記載の光学シート（１２０）において、基材層（２２）を備え、該基材層の一方の面に第一光制御層（１２１）が積層され、第一光制御層に第二光制御層（２３）が積層されている。
【００１５】
請求項６に記載の発明は、請求項１乃至４のいずれかに記載の光学シート（２０）において、基材層（２２）を備え、該基材層の一方の面に第一光制御層（２１）が積層され、基材層の他方の面に第二光制御層（２３）が積層されている。
【００１６】
請求項７に記載の発明は、請求項１乃至６のいずれかに記載の光学シート（２０）において、第一光制御層（２１）の高屈折率部（２１ｂ）及び低屈折率部（２１ａ）が延びる方向と、第二光制御層（２３）の高屈折率部（２３ａ）及び低屈折率部（２３ｂ）が延びる方向と、が平面視で９０度ずれている。
【００１７】
請求項８に記載の発明は、請求項１乃至６のいずれかに記載の光学シート（２２０）において、第一光制御層（２２１）の高屈折率部（２２１ｂ）及び低屈折率部（２２１ａ）が延びる方向と、第二光制御層（２２３）の高屈折率部（２２３ａ）及び低屈折率部（２２３ｂ）が延びる方向と、が平面視で９０度以外の傾斜でずれている。
【００１８】
請求項９に記載の発明は、有機エレクトロルミネッセンスによる発光層（１４）を備える有機ＥＬ積層体（１０）と、有機ＥＬ積層体の出光面側に配置される請求項１乃至８のいずれかに配置される光学シート（２０）と、を備える、有機エレクトロルミネッセンス発光ユニット（１）である。
【００１９】
請求項１０に記載の発明は、有機エレクトロルミネッセンスによる発光層（１４）を備える有機ＥＬ積層体（１０）と、有機ＥＬ積層体の出光面側に配置される請求項８に配置される光学シート（２２０）と、を備え、平面視で第一光制御層（２２１）の高屈折率部（２２１ｂ）及び低屈折率部（２２１ａ）と、第二光制御層（２２３）の高屈折率部（２２３ａ）及び低屈折率部（２２３ｂ）と、によりひし形が形成され、水平方向に対向する内角が鈍角（α）、鉛直方向に対向する内角が鋭角（β）である、有機エレクトロルミネッセンス発光ユニット（１）である。
【００２０】
請求項１１に記載の発明は、筐体と、筐体の内側に配置される請求項９又は１０に記載の有機エレクトロルミネッセンス発光ユニット（１）と、を備える表示装置である。
【発明の効果】
【００２１】
本発明によれば、正面からの角度が大きい斜め方向から画面を見ても輝度低下及び／又は色の変化が抑えられる。
【図面の簡単な説明】
【００２２】
【図１】第一の形態を説明する図で有機エレクトロルミネッセンス発光ユニット１の分解斜視図である。
【図２】有機エレクトロルミネッセンス発光ユニットの１つの厚さ方向断面図である。
【図３】有機エレクトロルミネッセンス発光ユニットの他の厚さ方向断面図である。
【図４】図４（ａ）は光学シート２０の斜視図、図４（ｂ）は図４（ａ）とは異なる方向から見た光学シート２０の斜視図である。
【図５】図４（ａ）の一部を拡大した図である。
【図６】第一光制御層２１を説明する断面図である。
【図７】第二光制御層２３を説明する断面図である。
【図８】図８（ａ）は低屈折率部２３’ｂを説明する図、図８（ｂ）は低屈折率部２３’’ｂを説明する図、図８（ｃ）は低屈折率部２３’’’ｂを説明する図、図８（ｄ）は低屈折率部２３’’’’ｂを説明する図である。
【図９】図９（ａ）は光学シート１２０の斜視図、図９（ｂ）は第一光制御層１２１の説明する断面図、図９（ｃ）は第二光制御層２３を説明する断面図である。
【図１０】図１０（ａ）は光学シート２２０の斜視図、図１０（ｂ）は光学シート２２０の平面図で第二光制御層２２３を透視して表している。
【図１１】図１１（ａ）は実施例１の光学シート３００の平面図、図１１（ｂ）は光学シート３００のうち第一光制御層３０１を説明する断面図、図１１（ｃ）は光学シート３００のうち第二光制御層３０２を説明する断面図である。
【図１２】図１２（ａ）は実施例２の光学シート３１０の平面図、図１２（ｂ）は光学シート３１０のうち第一光制御層３１１を説明する断面図、図１２（ｃ）は光学シート３１０のうち第二光制御層３１２を説明する断面図である。
【図１３】図１３（ａ）は実施例３の光学シート３２０の平面図、図１３（ｂ）は光学シート３２０のうち第一光制御層３２１を説明する断面図、図１３（ｃ）は光学シート３２０のうち第二光制御層３２２を説明する断面図である。
【図１４】図１４（ａ）は実施例４の光学シート３３０の平面図、図１４（ｂ）は光学シート３３０のうち第一光制御層３３１を説明する断面図、図１４（ｃ）は光学シート３３０のうち第二光制御層３３２を説明する断面図である。
【図１５】図１５（ａ）は比較例１の光学シート３４０の平面図、図１５（ｂ）は光学シート３４０の光制御層３４１を説明する断面図である。
【図１６】図１６（ａ）は比較例２の光学シート３５０の平面図、図１６（ｂ）は光学シート３５０の光制御層３５１を説明する断面図である。
【発明を実施するための形態】
【００２３】
本発明の上記した作用及び利得は、次に説明する発明の形態から明らかにされる。以下本発明を図面に示す形態に基づき説明する。ただし本発明は当該形態に限定されるものではない。ここで、本発明に具備される要素は実際には非常に微細、薄層であるが、分かりやすさのため各図では変形、拡大等して表している。また要素には符号を付してあるが、見易さのため繰り返しとなる符号は省略することがある。
【００２４】
図１は、第一の形態を説明する図で、光学シート２０を含む有機ＥＬ発光ユニット１の分解斜視図である。図１ではわかりやすさのため、一部の層について分離して表しているが、実際には各層は接着層を介して又は直接接触して積層されている。図２は図１にＩＩ−ＩＩで示した線を含む厚さ方向断面図、図３は図１にＩＩＩ−ＩＩＩで示した線を含む厚さ方向断面図である。ここでＩＩ−ＩＩとＩＩＩ−ＩＩＩとは互いに直交する関係にある。また、有機ＥＬ発光ユニット１が表示装置に配置された際にはＩＩ−ＩＩが画面縦方向、ＩＩＩ−ＩＩＩが画面横方向となる。
【００２５】
有機ＥＬ発光ユニット１は、有機ＥＬ積層体１０、光学シート２０、及び円偏光板３０を有して構成されている。
また、本形態で有機ＥＬ積層体１０は、基板１１、陰極層１２、電子輸送層１３、発光層１４、正孔輸送層１５、及び陽極層１６をこの順に備えて構成されている。
一方、本形態で光学シート２０は有機ＥＬ積層体１０の陽極層１６に積層され、該陽極層１６側から、第一光制御層２１、基材層２２、及び第二光制御層２３をそれぞれ具備している。
以下、各層について説明する。
【００２６】
基板１１は、有機ＥＬ積層体１０の各層を積層させる際にその基板となる層であり、基板として機能するための強度、コシを具備する材料及び厚さを有して構成されている。材料としては例えばガラス（ソーダライムガラス、無アルカリガラス等）、樹脂（ポリエステル、ポリアミド、エポキシ等）、及びプラスチック（フッ素系樹脂から作製されたもの等）を挙げることができる。
【００２７】
陰極層１２は、電子輸送層１３に電子を供給する層であり、金属、合金、金属酸化物、又は広く電気伝導性を有する材料により構成することができ、好ましくは仕事係数が低い材料がよい。かかる観点から、陰極層としては、例えば、アルカリ金属、アルカリ金属のハロゲン化物、アルカリ金属の酸化物、アルカリ土類金属、及びこれらと他の金属との合金、詳しくはナトリウム、ナトリウム−カリウム合金、リチウム、マグネシウム、マグネシウム−銀混合物、マグネシウム−インジウム混合物、アルミニウム−リチウム合金、Ａｌ／ＬｉＦ混合物等が挙げられる。
陰極層１２は公知の方法で基板１１に積層させることができ、例えば蒸着、化学反応、塗布等が挙げられる。
なお、本形態では陰極層１２が発光層１４のうち観察者側より反対側に配置されていることから、当該陰極層１２を反射率の高い材料で構成することができる。これにより発光層１４で発光された光を観察者側に向けて反射して提供することができる。
【００２８】
電子輸送層１３は、陰極層１２から電子を受けとり、発光層１４に輸送するための層である。電子輸送等１３は、電子輸送層として用いられる公知の材料を適用することができる。これには例えばＡｌｑ３等の金属錯体、フェナントロリン誘導体、ピリジン誘導体、テトラジン誘導体、オキサジアゾール誘導体等のヘテロ環を有する化合物等が挙げられる。
【００２９】
なお、電子輸送層１３には、陰極層１２側に電子注入層や再結合の割合を高めるために正孔の浸入を阻害する層を設けてもよい。
【００３０】
発光層１４は、所定の有機化合物材料を含有することにより、得た電子と正孔との再結合によって励起子を生じさせて発光する層である。当該所定の有機化合物材料としては公知のものを適用することができる。これには例えばベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、ペリレン誘導体、ペリノン誘導体、オキサジアゾール誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、芳香族ジメチリディン化合物、８−キノリノール誘導体の金属錯体や希土類錯体に代表される各種金属錯体；ポリチオフェン、ポリフェニレン、ポリフェニレンビニレン等のポリマー化合物等が挙げられる。
【００３１】
正孔輸送層１５は、陽極層１６から正孔を受けとり、発光層１４に輸送するための層である。正孔輸送層１５は、正孔輸送層として用いられる公知の材料を適用することができる。これには例えばカルバゾール誘導体等のカルバゾール基を含む化合物、トリアリールアミン系化合物、及びフルオレン誘導体を含むアミン化合物等を挙げることができる。
【００３２】
なお、正孔輸送層１５には、陽極層１６側に正孔注入層や再結合の割合を高めるために電子の浸入を阻害する層を設けてもよい。
【００３３】
陽極層１６は、正孔輸送層１５に対して正孔を供給する層である。陽極層１６は陽極層として取り得る公知の材料を適用することができる。これには例えば金属、合金、金属酸化物、又は広く電気伝導性を有する材料を挙げることができ、好ましくは仕事係数が高い材料がよい。かかる観点から、陽極層としては、金、銀、クロム、ニッケル等の金属、酸化スズ、酸化亜鉛、酸化インジウム、酸化インジウムスズ等の金属酸化物、ヨウ化銅、硫化銅、ポリアニリン、ポリチオフェン、ポリピロール等の導電性材料等を挙げることができる。
なお、本形態では陽極層１６が発光層１４よりも観察者側に配置されていることから、当該陽極層１６は透明であることが必要である。かかる観点から陽極層１６として酸化インジウムスズ（ＩＴＯ）を用いることが好ましい。これにより陽極層１６を透過して適切に光を提供することができる。
【００３４】
光学シート２０は、上記した構成を有する有機ＥＬ積層体１０の陽極層１６側に積層される積層体であり、有機ＥＬ積層体１０から出射された光を制御して観察者側に提供する。特に、画面を斜めから見たときにおける短波長側への色のシフトを防止する機能を有する。本形態の光学シート２０は、第一光制御層２１、基材層２２、及び第二光制御層２３を有して構成されている。
図４（ａ）には光学シート２０を有機ＥＬ積層体１０側からみた斜視図、図４（ｂ）には光学シート２０を観察者側（有機ＥＬ積層体１０側とは反対側）から見た斜視図をそれぞれ表した。また、図５には、図４（ａ）の一部を拡大した図を示した。
【００３５】
基材層２２は、その一方の面に第一光制御層２１を形成し、他方の面に第二光制御層２３を形成する基材となる層である。基材層２２は、透光性を有するとともに第一光制御層２１、第二光制御層２３の変形を防止できるように支持する。かかる観点から、基材層２２を構成する材料の具体例として例えば、アクリル、スチレン、ポリカーボネート、ポリエチレンテレフタレート（ＰＥＴ）、アクリロニトリル、トリアセチルセルロース（ＴＡＣ）を主成分とする透明樹脂や、エポキシアクリレートやウレタンアクリレート系の反応性樹脂（電離放射線硬化型樹脂等）を挙げることができる。
この中で、本形態のように円偏光板３０を用いる場合には複屈折が少ない（リタデーションが小さい）ＴＡＣ、アクリル、又はポリカーボネートが好ましい。
【００３６】
基材層２２の厚さは特に限定されないが、２５μｍ以上３００μｍ以下であることが好ましい。基材層２２の厚さがこの範囲を外れると、加工性に問題を生じる虞がある。例えば、基材層２２がこれより薄ければしわが生じやすくなる。また、基材層２２がこれより厚ければ、光学シート２０の巻き取りが困難になる。
【００３７】
本形態で第一光制御層２１は基材層２２のうち、有機ＥＬ積層体１０側となる面に積層される層である。第一光制御層２１は、図２に表れる厚さ方向断面において略台形である低屈折率部２１ａと、層面に沿った方向に低屈折率部２１ａに隣り合う高屈折率部２１ｂと、を備えている。図６には図２に表れる断面のうち第一光制御層２１の一部を拡大して表した。
【００３８】
低屈折率部２１ａは、基材層２２側が長い下底、基材層２２とは反対側が短い上底となるように配置された略台形断面を有する部位である。本形態では隣り合う低屈折率部２１ａの下底側が連結された形態である。
低屈折率部２１ａは所定の屈折率を有しており、高屈折率部２１ｂよりも低い屈折率の光透過性樹脂で構成されている。低屈折率部２１ａの屈折率は特に限定されることはないが、１．５０以下が好ましく、入手性の観点から１．４７以上であることが好ましい。より好ましくは１．４８以上である。
【００３９】
このような低屈折率部２１ａを構成する材料は特に限定されることはないが、例えば光硬化型プレポリマー（Ｐ２）に、反応性希釈モノマー（Ｍ２）および光重合開始剤（Ｓ２）を配合した光硬化型樹脂組成物が好ましく用いられる。
上記光硬化型プレポリマー（Ｐ２）としては、例えば、ウレタン（メタ）アクリレート、ポリエステル（メタ）アクリレート、エポキシ（メタ）アクリレート、およびブタジエン（メタ）アクリレート等を挙げることができる。
また、上記反応性希釈モノマー（Ｍ２）としては、例えば、単官能モノマーとして、（メタ）アクリル酸エステルモノマー及び（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート等が挙げられる。
そして、上記光重合開始剤（Ｓ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）フェニルホスフィンオキサイド等が挙げられる。
【００４０】
高屈折率部２１ｂは、図２に表される断面で層面に沿った方向に低屈折率部２１ａに隣接するように配置される部位であり、本形態では、２つの低屈折率部２１ａの間に形成された溝に高屈折率部２１ｂが形成される。従って、高屈折率部２１ｂの断面形状は低屈折率部２１ａの上底側を長い下底とし、これとは反対側が短い上底となる台形である。
高屈折率部２１ｂは、低屈折率部２１ａよりも高い屈折率である光透過性樹脂で構成されている。高屈折率部２１ｂの屈折率は特に限定されることはないが、１．５８以上であることが好ましく、取扱いや割れの観点から１．６１以下であることが好ましい。より好ましくは１．６０以下である。
【００４１】
高屈折率部２１ｂを構成する材料としては、例えば、光硬化型のプレポリマー（Ｐ１）に、反応性希釈モノマー（Ｍ１）および光重合開始剤（Ｓ１）を配合した光硬化型樹脂組成物が好ましく用いられる。
光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
また、反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。また、その他屈折率を高くすることができる観点から、フルオレン骨格を有するビニル化合物、フルオレン骨格を有するアクリル酸エステル化合物、及びフルオレン骨格を有するメタクリル酸エステル化合物の少なくとも１つを用いることもできる。
また、光重合開始剤（Ｓ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）フェニルホスフィンオキサイド等）、ベンジルジメチルケタール等が挙げられる
【００４２】
図１、図４、図５等からわかるように、第一光制御層２１では、低屈折率部２１ａ、高屈折率部２１ｂが上記断面を有して層面に沿った一方向に延びるように形成されている。従って、低屈折率部２１ａ、高屈折率部２１ｂは所定の断面（本形態では台形）を有して一方向に延び、当該延びる方向とは異なる方向（本形態では延びる方向とは直交する方向）に低屈折率部２１ａと高屈折率部２１ｂとが交互に配列されている。
【００４３】
ここで、低屈折率部２１ａと高屈折率部２１ｂとの界面が層面の法線に対してなす角θ１は、０°以上４５°以下であることが好ましい。θ１が０°のときには低屈折率部２１ａ、高屈折率部２１ｂはいずれも矩形断面となるが、この場合であっても一定の効果を奏するものとなる。より好ましくはθ１は１°以上４５°以下である。
【００４４】
また、低屈折率部２１ａと高屈折率部２１ｂとの屈折率差は０よりも大きい。好ましくは、光学性能、入手の容易さ、コストの観点から、０．１０以上０．１４以下である。
【００４５】
低屈折率部２１ａ、高屈折率部２１ｂのピッチや高さ（層厚方向の大きさ）は特に限定されることはないが、ピッチは１５μｍ以上１００μｍ以下、高さは１５μｍ以上１００μｍ以下であることが好ましい。
【００４６】
このように第一光制御層２１は所定の断面を有して一次元的に延びる低屈折率部２１ａと高屈折率部２１ｂとが交互に縞状に配列された層である。そしてその中でも低屈折率部２１ａおよび高屈折率部２１ｂがその長手方向に直交する断面（層厚方向断面）で台形であることが好ましい。さらには、本形態のように低屈折率部２１ａ、高屈折率部２１ｂが台形断面である場合において、長い下底が有機ＥＬ積層体１０側を向いている方が高屈折率部２１ｂとなることが好ましい。これにより、斜めから画面を見た場合における、色がシフトして見える変化をより顕著に抑制することができる。
【００４７】
本形態で第二光制御層２３は基材層２２のうち、有機ＥＬ積層体１０とは反対側となる面に積層される層である。第二光制御層２３は、図３に表れる厚さ方向断面において略台形である高屈折率部２３ａと、層面に沿った方向に高屈折率部２３ａに隣り合う低屈折率部２３ｂと、を備えている。図７には図３に表れる断面のうち第二光制御層２３について拡大して表した。
【００４８】
高屈折率部２３ａは、基材層２２側が長い下底、基材層２２とは反対側が短い上底となるように配置された略台形断面を有する部位である。本形態では隣り合う高屈折率部２３ａの下底側が連結された形態である。
高屈折率部２３ａは所定の屈折率を有しており、低屈折率部２３ｂよりも高い屈折率である光透過性樹脂で構成されている。高屈折率部２３ａの屈折率は特に限定されることはないが、１．５８以上が好ましく、取扱いでの割れの観点から１．６１以下であることが好ましい。より好ましくは１．６０以下である。
【００４９】
ここで、高屈折率部２３ａを構成する材料は、上記した第一光制御層２１の高屈折率部２１ｂと同様のものを用いることができる。
【００５０】
低屈折率部２３ｂは、図３に表される断面で層面に沿った方向に高屈折率部２３ａに隣接するように配置される部位であり、本形態では、２つの高屈折率部２３ａの間に形成された溝に低屈折率部２３ｂが設けられる。従って、低屈折率部２３ｂの断面形状は高屈折率部２３ａの上底側を長い下底とし、これとは反対側が短い上底となる台形である。
低屈折率部２３ｂは、高屈折率部２３ａよりも低い屈折率である光透過性樹脂で構成されている。低屈折率部２３ｂの屈折率は特に限定されることはないが、１．５０以下であることが好ましく、入手の容易性の観点から１．４７以上であることが好ましい。より好ましくは１．４８以上である。
【００５１】
低屈折率部２３ｂを構成する材料は、上記説明した第一光制御層２１の低屈折率部２１ａと同様ものを用いることができる。
【００５２】
図１、図３、図４、図７等からわかるように、第二光制御層２３では、高屈折率部２３ａ、低屈折率部２３ｂが上記断面を有して層面に沿った一方向に延びるように形成されている。従って、高屈折率部２３ａ、低屈折率部２３ｂが当該断面を有して一方向に延び、当該延びる方向とは異なる方向（本形態では直交する方向）に高屈折率部２３ａと低屈折率部２３ｂとが交互に配列されている。
そして、本形態では、第一光制御層２１の低屈折率部２１ａ及び高屈折率部２１ｂが延びる方向と、第二光制御層２３の高屈折率部２３ａ及び低屈折率部２３ｂが延びる方向とが、光学シート２０の正面視で９０°ずれるように構成されている。これにより画面を斜めから見る方向においてあらゆる方向（上下方向斜め、左右方向斜め、及びその間における斜め）における色がシフトして見える色の変化を効率よく抑制することができる。なお、本形態では正面視で９０°ずれる例を説明したがこの角度は特に限定されることはなく９０°以外であってよい。これにより色がシフトして見えることをより顕著に抑制できる方向を調整することができる。これには例えば後で説明する光学シート２２０の例が挙げられる。
【００５３】
ここで、高屈折率部２３ａと低屈折率部２３ｂとの界面が層面の法線に対してなす角θ２は、０°以上４５°以下であることが好ましい。θ２が０°のときには高屈折率部２３ａ、低屈折率部２３ｂはいずれも矩形断面となるが、この場合であっても一定の効果を奏するものとなる。より好ましくはθ２は１°以上４５°以下である。
【００５４】
また、低屈折率部２３ｂと高屈折率部２３ａとの屈折率差は０よりも大きい。好ましくは、光学性能、入手の容易さ、コストの観点から、０．１０以上０．１４以下である。
【００５５】
高屈折率部２３ａ、低屈折率部２３ｂのピッチや高さ（層厚方向の大きさ）は特に限定されることはないが、ピッチは１５μｍ以上１００μｍ以下、高さは１５μｍ以上、１００μｍ以下であることが好ましい。
【００５６】
このように第二光制御層２３も一次元的に延びる高屈折率部２３ａと低屈折率部２３ｂとが交互に縞状に配列された層である。そしてその中でも高屈折率部２３ａおよび低屈折率部２３ｂがその長手方向に直交する断面（層厚方向断面）で台形であることが好ましい。さらには、本形態のように高屈折率部２３ａ、低屈折率部２３ｂが台形断面である場合において、長い下底が有機ＥＬ積層体１０側を向いている方が高屈折率部２３ａとなることがさらに好ましい。これにより、斜めから画面を見た場合における色がシフトして見える変化をより顕著に抑制することができる。
【００５７】
ここでは１つの形態例を示したが、例えば低屈折率部２３ｂを次のような変形例のように構成することもできる。図８に説明のための図を表した。ここでは低屈折率部２３ｂの変形例により説明するが、この変形例は高屈折率部２１ａ等にも適用することができる。
図８（ａ）は低屈折率部２３’ｂの断面形状である。この例では台形の脚部が折れ線状に形成されている。
図８（ｂ）は低屈折率部２３’’ｂの断面形状である。この例では台形の脚部が凹状の曲線に形成されている。これに対して脚部が凸状の曲線に形成されてもよい。
図８（ｃ）は低屈折率部２３’’’ｂの断面形状である。この例では台形の下底が凹状の曲線に形成されている。これに対して図８（ｄ）に示した低屈折率部２３’’’’ｂのように下底が凸状の曲線に形成されてもよい。
【００５８】
以上のような変形例の形態によれば、光の全反射や屈折を必要に応じてより所望の態様に制御することが可能となる。
【００５９】
また、本形態では複数の高屈折率部２１ｂ、２３ａ及び低屈折率部２１ａ、２３ｂが同じ断面形状で形成されているが、これに限らず断面形状が層内で規則的又は不規則で異なるように配置してもよい。また同じ断面形状でも位置によってピッチが変化してもよい。
【００６０】
以上のような光学シート２０は例えば次のように作製することができる。
まず、第一光制御層２１の低屈折率部２１ａを金型ロールを用いる方法により形成する。すなわち、円筒状であるロールの外周面に低屈折率部２１ａの形状を転写可能な凹凸が設けられた金型ロールを準備する。そして金型ロールとこれに対向するように配置されたニップロールとの間に、基材層２２となる基材を挿入する。そして、基材の一方の面と金型ロールとの間に低屈折率部２１ａを構成する硬化前の組成物を供給しながら金型ロール及びニップロールを回転させる。これにより金型ロールの表面に形成された凹凸の凹部内に低屈折率部２１ａを構成する組成物が充填され、該組成物が金型ロールの凹凸の表面形状に沿ったものとなる。
【００６１】
金型ロールと基材との間に挟まれ、ここに充填された低屈折率部２１ａを構成する硬化前の組成物に対し、基材側から光照射装置により光を照射する等の適切な硬化方法により硬化させる。これにより、低屈折率部２１ａの形状を固定させることができる。そして、離型ロールにより金型ロールから基材層２２及び成形された低屈折率部２１ａを離型する。
【００６２】
次に、隣り合う低屈折率部２１ａの間に形成された凹部に、高屈折率部２１ｂを構成する硬化前の組成物を充填して硬化させることによって、高屈折率部２１ｂを形成することができる。具体的には、低屈折率部２１ａの凹部に高屈折率部２１ｂを構成する硬化前の組成物を過剰に供給し、その余剰分をブレードにより掻き取ることによりその量を調整するとともに凹部に組成物を充填する。そして凹部内に充填された組成物を適切な方法で硬化させる。
このようにして、基材層２２上に第一光制御層２１を形成することができる。
【００６３】
次に基材層２２のうち第一光制御層２１とは反対側の面に同様の手順で第二光制御層２３を形成する。これにより光学シート２０を得ることができる。
【００６４】
図１〜図３に戻って円偏光板３０について説明する。円偏光板は公知の通りであるが、偏光部材と位相差部材とを積層した部材である。一度円偏光板を透過した光の反射光は偏光されており、円偏光板の偏光部材により吸収されて透過することができないので、外光を観察者側に出射することがなく、外光の影響を低減することができる。
【００６５】
以上のように構成された有機ＥＬ発光ユニット１を筐体に納め、円偏光板３０側が観察者側となるように配置することで、有機ＥＬによる表示装置とすることができる。その際には必要に応じて有機ＥＬ発光ユニット１を作動させるための電気回路、電源回路等も備えられる。
【００６６】
このような有機ＥＬ発光ユニット１を備える表示装置は例えば次のように作動する。ここでは、有機ＥＬ積層体１０により映像情報を含む映像光が出射される例で説明する。図６、図７に光路例を示した。ただし当該光路例は概念的なものであり、反射や屈折を厳密に表したものではない。以下同様である。
【００６７】
表示装置を作動させると、有機ＥＬ積層体１０からは映像光が出射される。有機ＥＬ積層体１０から出射した映像光は初めに第一光制御層２１に入射する。第一光制御層２１における映像光の光路例を映像光Ｌ１〜Ｌ４として図６に示した。
映像光Ｌ１、Ｌ２は、の厚さ方向に略平行に第一光制御層２１に入射する。映像光Ｌ１は低屈折率部２１ａを透過し、映像光Ｌ２は高屈折率部２１ｂを透過してそのまま正面に向かう。
映像光Ｌ３は、厚さ方向に対して斜めから高屈折率部２１ｂに入り、全反射臨界角以上の角度で低屈折率部２１ａとの界面に達する。これにより映像光は全反射し、正面に対してより大きな角度を有する方向に進行する。従って、映像光Ｌ３のように色がシフトしていない適切な色の明るい映像光を、正面に対して大きな角度を有する方向に提供することができる。
一方、映像光Ｌ４は、厚さ方向に対して斜めから低屈折率部２１ａに入り、高屈折率部２１ａとの界面に達する。これにより映像光は屈折し、正面に対してより大きな角度を有する方向に進行する。従って映像光Ｌ４についても色がシフトしていない適切な色の明るい映像光を、正面に対して大きな角度を有する方向に提供することができる。
【００６８】
次に第一光制御層２１を透過した映像光は基材層２２を透過して第二光制御層２３に達する。第二光制御層２３における映像光の光路例を映像光Ｌ５〜Ｌ８として図７に示した。
映像光Ｌ５、Ｌ６は、の厚さ方向に略平行に第二光制御層２３に入射する。映像光Ｌ５は高屈折率部２３ａを透過し、映像光Ｌ６は低屈折率部２３ｂを透過してそのまま正面に向かう。
映像光Ｌ７は、厚さ方向に対して斜めから高屈折率部２３ａに入り、全反射臨界角以上の角度で低屈折率部２３ｂとの界面に達する。これにより映像光は全反射し、正面に対してより大きな角度を有する方向に進行する。従って、映像光Ｌ７のように色がシフトしていない適切な色の明るい映像光を、正面に対して大きな角度を有する方向に提供することができる。
一方、映像光Ｌ８は、厚さ方向に対して斜めから低屈折率部２３ｂに入り、高屈折率部２３ａとの界面に達する。これにより映像光は屈折し、正面に対してより大きな角度を有する方向に進行する。従って映像光Ｌ８についても色がシフトしていない適切な色の明るい映像光を、正面に対して大きな角度を有する方向に提供することができる。
【００６９】
ここで、第一光制御層２１と第二光制御層２３とでは、高屈折率部２１ｂ及び低屈折率部２１ａと、高屈折率部２３ａ及び低屈折率部２３ｂと、で長手方向の向きが異なるので、映像光は正面方向に対して大きな角度を有するあらゆる方向に光を向けさせることができ、広い範囲に適切な色の映像光を提供することが可能となる。すなわち、このような２つの光制御層を具備することにより、広い範囲において適切な色及び／又は明るいの映像光を提供できる。
一方、このように二つの層によらず例えば錐状の２次元的な要素を並べることにより光の制御を行うと、一定の効果は得られるものの本発明に比べて反射面、屈折面の面積を大きくとることができない。従って本発明ではこのような２次元的な要素を配列した場合よりも効果的に色のシフトを抑制することが可能となる。
【００７０】
上記のように、本形態では正面方向に対して大きな角度で出射する光が短波長側にシフトして見えてしまうこと、すなわちより青味を帯びてしまうことを抑制することができる。ここで、当該青味をさらに抑制する観点から、第一光制御層２１及び第二光制御層２３の少なくとも一方の一部又は全部に対し、６００ｎｍ〜７８０ｎｍの範囲の波長の光の平均透過率が、３８０ｎｍ〜５００ｎｍの範囲の波長の光の平均透過率より高くなるように形成されていてもよい。すなわち、第一光制御層２１及び第二光制御層２３の少なくとも一方では、長波長である赤色領域の光（Ｒ）をよく透過し、短波長である青色領域の光（Ｂ）を透過し難く形成されてもよい。
これにより、当該青味を抑制して色がシフトした光をさらに適切な光に近付けることができる。
【００７１】
そのためのより具体的な手段としては、第一光制御層２１及び第二光制御層２３の少なくとも一方の透過色度がｘ≧０．３１５、又はｙ≧０．３３２とすることが挙げられる。これはＤ６５光源を用いた場合に、従来から用いられる透明樹脂が有する透過色度に対して黄色側となるような値である。
ここで透過色度ｘ、ｙの算出は、公知の手法を用いることができ、例えばＲ、Ｇ、Ｂ測定値からＸＹＺ刺激値を算出することにより得ることが可能である。
そして第一光制御層２１及び第二光制御層２３の少なくとも一方をこのように形成する手段は特に限定されるものではないが、高屈折率部、低屈折率部の少なくとも一方に着色剤を添加することを挙げることができる。その中でも黄色の着色剤を含有させることが好ましい。
【００７２】
また、第一光制御層２１及び第二光制御層２３の少なくとも一方の高屈折率部２１ｂ、２３ａ及び低屈折率部２１ａ、２３ｂの少なくとも１つに光拡散粒子を混入してもよい。光拡散粒子はその周囲と屈折率が異なる粒子であり、粒子と周囲との界面における屈折、全反射により光を拡散する。従って正面に対して大きな角度を有する方向にも映像光が出射されるので色のシフト及び／又は輝度低下を抑制することができる。
このとき光拡散粒子の粒子直径に関し、平均粒子直径は、ミー散乱理論により求められる波長６１５ｎｍにおける拡散効率が、波長４３５ｎｍにおける拡散効率よりも大きくなる平均粒子直径とすることができる。これにより、光を拡散させるに際し、波長分散の影響で拡散の大きい青色系の波長の光の拡散効率を低く、拡散の小さい赤色系の波長の光の拡散効率を大きくすることができ、波長による光の分散を小さく抑えることが可能となり、より適切に観察する角度による映像光の色彩の変化を抑制することができる。
または、光拡散粒子の周囲の材料の屈折率をＮｄＫ、アッベ数をνｄＫとし、光拡散粒子の屈折率をＮｄＲ、アッベ数をνｄＲとしたとき、
ＮｄＫ＜ＮｄＲ  かつ  νｄＫ＜νｄＲ
を満たすように構成してもよい。これによっても短波長側の拡散を小さく抑え、これに対して長波長側の光を相対的に大きく拡散させることができ、より適切に観察する角度による映像光の色彩の変化を抑制することができる。
【００７３】
図９には第二の形態を説明する図を示した。図９（ａ）は光学シート１２０の斜視図で、図４（ａ）と同じ視点による図、図９（ｂ）は図９（ａ）にＩＸｂ−ＩＸｂで示した線に沿った光学シート１２０の厚さ方向断面図、図９（ｃ）は図９（ａ）にＩＸｃ−ＩＸｃで示した線に沿った光学シート１２０の厚さ方向断面図である。
【００７４】
光学シート１２０では、第一光制御層１２１が基材層２２と第二光制御層２３との間に配置されている点で光学シート２０と異なる。すなわち第一光制御層１２１上に第二光制御層２３が積層されている。基材層２２及び第二光制御２３については上記の通りなので説明を省略し、ここで第一光制御層１２１について説明する。
【００７５】
第一光制御層１２１は図９（ｂ）に表れる厚さ方向断面において略台形である高屈折率部１２１ａと、層面に沿った方向に高屈折率部１２１ａに隣り合う低屈折率部１２１ｂと、を備えている。
【００７６】
高屈折率部１２１ａは、基材層２２側が長い下底、基材層２２とは反対側が短い上底となるように配置された略台形断面を有する部位である。本形態では隣り合う高屈折率部１２１ａの下底側が連結された形態である。
高屈折率部１２１ａの屈折率及びこれを構成する材料は高屈折率部２３ａと同様の考えを適用することができる。
【００７７】
低屈折率部１２１ｂは、図９（ｂ）に表される断面で層面に沿った方向に高屈折率部１２１ａに隣接するように配置される部位であり、本形態では、２つの高屈折率部１２１ａの間に形成された溝に低屈折率部１２１ｂが形成される。従って、低屈折率部１２１ｂの断面形状は高屈折率部１２１ａの上底側を長い下底とし、これとは反対側が短い上底となる台形である。
低屈折率部１２１ｂの屈折率及びこれを構成する材料は低屈折率部２３ｂと同様の考えを適用することができる。
【００７８】
図９（ａ）〜図９（ｃ）よりわかるように、光学シート１２０では、第一光制御層１２１の高屈折率部１２１ａ、低屈折率部１２１ｂが上記断面を有して層面に沿った一方向に延びるように形成されている。従って、高屈折率部１２１ａ、低屈折率部１２１ｂが一方向に延び、当該延びる方向とは異なる方向（本形態では直交する方向）に高屈折率部１２１ａと低屈折率部１２１ｂとが交互に配列されている。
そして、本形態では、第一光制御層１２１の高屈折率部１２１ａ及び低屈折率部１２１ｂが延びる方向と、第二光制御層２３の高屈折率部２３ａ及び低屈折率部２３ｂが延びる方向とが、光学シート１２０の正面視で９０°ずれるように構成されている。これにより画面を斜めから見る方向においてあらゆる方向（上下方向斜め、左右方向斜め、及びその間における斜め）における色のシフトによる色の変化及び／又は輝度低下を効率よく抑制することができる。
【００７９】
このように第一光制御層１２１も一次元方向に延びた高屈折率部１２１ａと低屈折率部１２１ｂとが縞状に配列された層である。そしてその中でも高屈折率部１２１ａおよび低屈折率部１２１ｂがその長手方向に直交する断面（層厚方向断面）で台形であることが好ましい。さらには、本形態のように高屈折率部１２１ａ、低屈折率部１２１ｂが台形断面である場合において、長い下底が有機ＥＬ積層体１０側に向いている方が高屈折率部１２１ａとなることがさらに好ましい。これにより、斜めから画面を見た場合における色がシフトして見える変化をより顕著に抑制することができる。
【００８０】
図１０には第三の形態を説明する図を示した。図１０（ａ）は光学シート２２０の斜視図で、図４（ａ）と同じ視点による図、図１０（ｂ）は光学シート２２０を有機ＥＬ積層体１０側から見た平面図で、第二光制御層２２３も透視して破線で表している。
【００８１】
光学シート２２０は、上記した光学シート２０と同様の層構成であるが、第一光制御層２２１の高屈折率部２２１ｂ、低屈折率部２２１ａ、及び第二光制御層２２３の高屈折率部２２３ａ、低屈折率部２２３ｂが延びる方向が水平及び鉛直でなく、斜め方向である点で異なる。このように斜めに延びるように形成することにより、色のシフト及び／又は輝度低下を抑制する効果が高い方向を所望の方向に調整することができる。例えば鉛直に設置されるテレビ等の表示装置では、水平方向に広い範囲で色のシフトを抑制することが特に重要になる。その際には、図１０（ｂ）に示したように、光学シート２２０を平面視したときに第一光制御層２２１の高屈折率部２２１ｂ、低屈折率部２２１ａ、及び第二光制御層２２３の高屈折率部２２３ａ、低屈折率部２２３ｂによりひし形が形成されるように構成することが好ましい。そして当該ひし形において水平方向に向かい合う内角をα、鉛直方向に向かい合う内角をβとしたとき、α＞βであることが好ましい。すなわちαは鈍角、βは鋭角となる。
【００８２】
また、このような光学シート２２０では、その製造の際に、第一光制御層２２１の低屈折率部２２１ａに対応した表面凹凸を有する金型ロールを準備することにより、この金型ロールで、第二光制御層２２３の高屈折率部２２３ａの成形も可能であることから、生産性の向上を図ることもできる。
【実施例】
【００８３】
実施例では第一光制御層及び第二光制御層を具備する光学シート、頂部を除外した錐状の光制御部が複数並べられた層を具備する光学シート、及び光を制御する部位を有しない光学シートをそれぞれ作製してその性能を比較した。
【００８４】
（実施例１）
実施例１では、図１１に示したように、基材層２２の一方の面に第一光制御層３０１、他方の面に第二光制御層３０２を配置した光学シート３００を用いた。図１１（ａ）は平面図であり、実線で第一光制御層３０１、破線で第二光制御層３０２を表している。図１１（ｂ）は第一光制御層３０１の形態を説明する図であり、高屈折率部３０１ａ及び低屈折率部３０１ｂが延びる方向に直交する断面の一部を拡大して表している。図１１（ｂ）では第二光制御層３０２の詳細は図示を省略している。図１１（ｃ）は第二光制御層３０２の形態を説明する図であり、高屈折率部３０２ａ及び低屈折率部３０２ｂが延びる方向に直交する断面の一部を拡大して表している。図１１（ｃ）では第一光制御層３０１の詳細は図示を省略している。
【００８５】
光学シート３００では、図１１（ａ）からわかるように、第一光制御層３０１の高屈折率部３０１ａ及び低屈折率部３０１ｂが延びる方向と、第二光制御層３０２の高屈折率部３０２ａ及び低屈折率部３０２ｂが延びる方向と、は平面視で斜めに交差するように配置されている。本実施例では、交差する角度α１は９０°である。
【００８６】
また、光学シート３００では図１１（ｂ）、図１１（ｃ）からわかるように、第一光制御層３０１、及び第二光制御層３０２がそれぞれ当該図に表れる台形断面の高屈折率部３０１ａ、３０２ａ、及び低屈折率部３０１ｂ、３０２ｂを有して延びている。このとき、本例では第一光制御層３０１及び第二光制御層３０２のいずれも高屈折率部３０１ａ、３０２ａの長い下底が光源側を向くように構成されている。
ここで、基材は１００μｍ厚さのアクリルフィルムにより形成されている。また、高屈折率部３０１ａ、３０２ａは紫外線硬化型の透明樹脂により形成され、屈折率は１．６０である。一方、低屈折率部３０１ｂ、３０２ｂは紫外線硬化型の透明樹脂により形成され、屈折率は１．４８である。
【００８７】
（実施例２）
実施例２では、図１２に示したように、基材層２２の一方の面に第一光制御層３１１、他方の面に第二光制御層３１２を配置した光学シート３１０を用いた。図１２（ａ）は平面図であり、実線で第一光制御層３１１、破線で第二光制御層３１２を表している。図１２（ａ）は平面図である。図１２（ｂ）は第一光制御層３１１の形態を説明する図であり、高屈折率部３１１ａ及び低屈折率部３１１ｂが延びる方向に直交する断面の一部を拡大して表している。図１２（ｂ）では第二光制御層３１２の詳細は図示を省略している。図１２（ｃ）は第二光制御層３１２の形態を説明する図であり、高屈折率部３１２ａ及び低屈折率部３１２ｂが延びる方向に直交する断面の一部を拡大して表している。図１２（ｃ）では第一光制御層３１１の詳細は図示を省略している。
【００８８】
本例の光学シート３１０はその構造及び用いた材料は実施例１の光学シート３００と同じである。ただし、光学シート３１０では、光学シート３００と高屈折率部と低屈折率部の配置が反対である点が異なる。従って光学シート３１０では、第一光制御層３１１、及び第二光制御層３１２がそれぞれ当該図に表れる台形断面の高屈折率部３１１ａ、３１２ａ、及び低屈折率部３１１ｂ、３１２ｂを有して延び、第一光制御層３１１及び第二光制御層３１２のいずれも高屈折率部３１１ａ、３１２ａの長い下底が観察側を向くように構成されている。
【００８９】
（実施例３）
実施例３では、図１３に示したように、基材層２２の一方の面に第二光制御層３２２が配置され、該第二光制御層３２２に第一光制御層３２１を積層した光学シート３２０を用いた。図１３（ａ）は平面図であり、実線で第一光制御層３２１、破線で第二光制御層３２２を表している。図１３（ｂ）は第一光制御層３２１の形態を説明する図であり、高屈折率部３２１ａ及び低屈折率部３２１ｂが延びる方向に直交する断面の一部を拡大して表している。図１３（ｂ）では第二光制御層３２２の詳細は図示を省略している。図１３（ｃ）は第二光制御層３２２の形態を説明する図であり、高屈折率部３２２ａ及び低屈折率部３２２ｂが延びる方向に直交する断面の一部を拡大して表している。図１３（ｃ）では第一光制御層３２１の詳細は図示を省略している。
【００９０】
光学シート３２０では、図１３（ａ）からわかるように、第一光制御層３２１の高屈折率部３２１ａ及び低屈折率部３２１ｂが延びる方向と、第二光制御層３２２の高屈折率部３２２ａ及び低屈折率部３２２ｂが延びる方向と、は平面視で斜めに交差するように配置されている。本実施例では、交差する角度は実施例１と同じである。
【００９１】
また、光学シート３２０では図１３（ｂ）、図１３（ｃ）からわかるように、第一光制御層３２１、及び第二光制御層３２２がそれぞれ当該図に表れる台形断面の高屈折率部３２１ａ、３２２ａ、及び低屈折率部３２１ｂ、３２２ｂを有して延びている。このとき、本例では第一光制御層３２１及び第二光制御層３２２のいずれも高屈折率部３２１ａ、３２２ａの長い下底が光源側を向くように構成されている。
ここで、基材２２、高屈折率部３２１ａ、３２２ａ、及び低屈折率部３２１ｂ、３２２ｂを構成する材料は実施例１と同じである。
【００９２】
（実施例４）
実施例４では、図１４に示したように、基材層２２の一方の面に第一光制御層３３１が配置され、該第一光制御層３３１に第二光制御層３３２を積層した光学シート３３０を用いた。図１４（ａ）は平面図であり、実線で第一光制御層３３１、破線で第二光制御層３３２を表している。図１４（ｂ）は第一光制御層３３１の形態を説明する図であり、高屈折率部３３１ａ及び低屈折率部３３１ｂが延びる方向に直交する断面の一部を拡大して表している。図１４（ｂ）では第二光制御層３３２の詳細は図示を省略している。図１４（ｃ）は第二光制御層３３２の形態を説明する図であり、高屈折率部３３２ａ及び低屈折率部３３２ｂが延びる方向に直交する断面の一部を拡大して表している。図１４（ｃ）では第一光制御層３３１の詳細は図示を省略している。
【００９３】
光学シート３３０では、図１４（ａ）からわかるように、第一光制御層３３１の高屈折率部３３１ａ及び低屈折率部３３１ｂが延びる方向と、第二光制御層３３２の高屈折率部３２２ａ及び低屈折率部３３２ｂが延びる方向と、は平面視で斜めに交差するように配置されている。本実施例では、交差する角度は実施例１と同じである。
【００９４】
また、光学シート３３０では図１４（ｂ）、図１４（ｃ）からわかるように、第一光制御層３３１、及び第二光制御層３３２がそれぞれ当該図に表れる台形断面の高屈折率部３３１ａ、３３２ａ、及び低屈折率部３３１ｂ、３３２ｂを有して延びている。このとき、本例では第一光制御層３３１及び第二光制御層３３２のいずれも高屈折率部３３１ａ、３３２ａの長い下底が観察側を向くように構成されている。
ここで、基材２２、高屈折率部３３１ａ、３３２ａ、及び低屈折率部３３１ｂ、３３２ｂを構成する材料は実施例１と同じである。
【００９５】
（比較例１）
比較例１では、図１５に示したように、基材層２２の一方の面に１つの光制御層３４１を配置した光学シート３４０を用いた。図１５（ａ）は平面図である。図１５（ｂ）は光制御層３４１の形態を説明する図であり、光制御層３４１の断面の一部を拡大して表している。
【００９６】
光学シート３４０では、図１５からわかるように、正四角錐のうちその頂部が除外された低屈折率部３４１ｂが図１５（ｂ）に表れるように形成及び配列されている。そして、隣り合う低屈折率部３４１ｂの間に高屈折率部３４１ａが形成されている。従って高屈折率部３４１ａも頂部が除外された正四角錐である。従って、光学シート３４０では図１５（ｂ）からわかるように、当該図に表れる台形断面の高屈折率部３４１ａ及び低屈折率部３４１ｂを有している。このとき、本例では光制御層３４１の高屈折率部３４１ａの長い下底（正四角錐の底面側）が光源側に向くように構成されている。
ここで、基材、高屈折率部３４１ａ、低屈折率部３４１ｂに用いられる材料は実施例１と同じである。
【００９７】
（比較例２）
比較例２では、図１６に示したように、基材層２２の一方の面に１つの光制御層３５１を配置した光学シート３５０を用いた。図１６（ａ）は平面図である。図１６（ｂ）は光制御層３５１の形態を説明する図であり、光制御層３５１の断面の一部を拡大して表している。
【００９８】
光学シート３５０では、図１６からわかるように、正四角錐のうちその頂部が除外された低屈折率部３５１ｂが図１６（ｂ）に表れるように形成及び配列されている。そして、隣り合う低屈折率部３５１ｂの間に高屈折率部３５１ａが形成されている。従って高屈折率部３５１ａも頂部が除外された正四角錐である。従って、光学シート３５０では図１６（ｂ）からわかるように、当該図に表れる台形断面の高屈折率部３５１ａ及び低屈折率部３５１ｂを有している。このとき、本例では光制御層３５１の高屈折率部３５１ａの長い下底（正四角錐の底面側）が観察側に向くように構成されている。
ここで、基材２２、高屈折率部３５１ａ、低屈折率部３５１ｂに用いられる材料は実施例１と同じである。
【００９９】
（比較例３）
比較例３の光学シートは基材２２のみにより構成した。
【０１００】
（試験方法）
試験は各光学シートの背面側（図１１〜図１６に光源側と記載されている側）に面光源を配置した。一方、観察者側には分光放射輝度計（コニカミノルタ株式会社、ＣＳ−１０００）を配置し、輝度および色温度を測定した。測定は光学シートの面を鉛直に設置し、光学シートの中央における法線を０度として次の４つの条件で測定した。
・条件１：法線上から当該中央を測定する（横０°、縦０°）。
・条件２：水平方向４５°、鉛直方向０°の位置から当該中央を測定する（横４５°、縦０°）。
・条件３：水平方向４５°、鉛直方向４５°の位置から当該中央を測定する（横４５°、縦４５°）。
・条件４：水平方向０°、鉛直方向４５°の位置から当該中央を測定する（横０°、縦４５°）
【０１０１】
（結果１）
結果１として、高屈折率部の広い面が光源側に向けられた例を説明する。すなわち、実施例１、実施例３、比較例１、及び比較例３の対比である。表１に結果を示す。表１中、輝度はｃｄ／ｍ２、色温度はＫである。輝度は数値が大きいほど明るいことを意味し、色温度は値が低い方が色シフト（青味）が抑制されていることを意味する。
【０１０２】
【表１】
2015176132.tif 000003
【０１０３】
表１からわかるように、高屈折率部の広い面が光源側に向けられたときには、いずれの条件でも比較例１以上の輝度となる。そして、斜めから見た場合である条件２〜条件４については、比較例１及び比較例３に対して、輝度の向上および色温度を低下させること（色シフトの抑制）ができた。
【０１０４】
（結果２）
結果２として、高屈折率部の広い面が観察側に向けられた例を説明する。すなわち、実施例２、実施例４、比較例２、及び比較例３の対比である。表２に結果を示す。表２中、輝度はｃｄ／ｍ２、色温度はＫである。輝度は数値が大きいほど明るいことを意味し、色温度は値が低い方が色シフト（青味）が抑制されていることを意味する。
【０１０５】
【表２】
2015176132.tif 000004
【０１０６】
表２からわかるように高屈折率部の広い面が観察側に向けられたときには、比較例２に対して色温度を低下させることはできなかったが、輝度についてはいずれの条件でも向上させることができた。
【符号の説明】
【０１０７】
１  有機エレクトロルミネッセンス発光ユニット
１０  有機ＥＬ積層体
１１  基板
１２  陰極層
１３  電子輸送層
１４  発光層
１５  正孔輸送層
１６  陽極層
２０  光学シート
２１  第一光制御層
２２  基材層
２３  第二光制御層
３０  円偏光板
【図１】
2015176132.tif 000005
【図２】
2015176132.tif 000006
【図３】
2015176132.tif 000007
【図４】
2015176132.tif 000008
【図５】
2015176132.tif 000009
【図６】
2015176132.tif 000010
【図７】
2015176132.tif 000011
【図８】
2015176132.tif 000012
【図９】
2015176132.tif 000013
【図１０】
2015176132.tif 000014
【図１１】
2015176132.tif 000015
【図１２】
2015176132.tif 000016
【図１３】
2015176132.tif 000017
【図１４】
2015176132.tif 000018
【図１５】
2015176132.tif 000019
【図１６】
2015176132.tif 000020